(57)【要約】【課題】  給油希望者が静電気除去手段を使用して自身の身体部分に帯電している静電気を除去しなければ給油できない無人給油装置及び無人給油方法を提供する。【解決手段】  この無人給油装置は、給油希望者が自身の身体部分を接触することにより身体に帯電している静電気を除去する静電気除去手段である静電気除去シート２０と、静電気除去シート２０に接触することにより人体に帯電している静電気が除去されたことを感知するセンサ４０と、静電気除去シート２０により静電気を除去した給油希望者が給油する給油手段（図示せず）とを備える。【選択図】      図１
2005047559.tif 000002
【特許請求の範囲】
【請求項１】
給油希望者が自身の身体部分を接触することにより前記身体に帯電している静電気を除去する静電気除去手段と、前記静電気除去手段に接触することにより人体に帯電している静電気が除去されたことを感知するセンサと、前記静電気除去手段により静電気を除去した前記給油希望者が給油する給油手段とを備えることを特徴とする無人給油装置。
【請求項２】
前記静電気除去手段が、接地されたシート状のもので、前記給油希望者が触手することにより前記給油希望者に帯電している静電気を除去することを特徴とする請求項１記載の無人給油装置。
【請求項３】
前記センサが、帯電している前記給油希望者が前記静電気除去手段に触手したときに流れる微弱電流又は触手したことを検知して表示することを特徴とする請求項１記載の無人給油装置。
【請求項４】
給油希望者に対し、音声または表示により静電気除去手段に触手することを促し、決済方法・油種・給油量を選択させ、前記静電気除去手段に触手することにより前記給油希望者の身体の静電気が除去されていることをセンサにて確認できた後、給油手段による給油を許可し、前記給油希望者が給油をし、給油量・単価・合計金額を記載した伝票を発行することを特徴とする無人給油方法。
【請求項５】
コンピュータに、給油希望者に対し音声または表示により静電気除去手段に触手することを促する手順と、決済方法・油種・給油量を選択させ留手順と、前記静電気除去手段に触手することにより前記給油希望者の身体の静電気が除去されていることをセンサにて確認できた後、給油手段による給油を許可する手順と、前記給油希望者が給油をしたのち、給油量・単価・合計金額を記載した伝票を発行する手順とを実行させるための無人給油用プログラム。
【請求項６】
表面に静電気除去シートを貼り付けてあるタッチパネルと、給油希望者が給油する給油手段とを備えることを特徴とする無人給油装置。
【請求項７】
給油希望者は、決済方法・油種・給油量を表面に静電気除去シートを貼り付けてあるタッチパネル上から入力し、給油手段による給油を許可されたら、前記給油希望者が給油をし、給油量・単価・合計金額を記載した伝票を発行することを特徴とする無人給油方法。
【請求項８】
コンピュータに、給油希望者が決済方法・油種・給油量を表面に静電気除去シートを貼り付けてあるタッチパネル上から入力する手順と、給油手段による給油を許可されたら、前記給油希望者が給油をし、給油量・単価・合計金額を記載した伝票を発行する手順とを実行させるための無人給油用プログラム。
【発明の詳細な説明】
【技術分野】
【０００１】
本発明は無人給油装置、無人給油方法及び無人給油用プログラムに関し、特に給油希望者の身体に帯電している静電気を除去してから給油することを特徴とする無人給油装置、無人給油方法及び無人給油用プログラムに関する。
【背景技術】
【０００２】
従来、この種の無人給油システムは、図５に示すように、給油装置１のカードリーダ２に挿入されたＩＤカード１１が記憶している暗証番号と利用者がキーボード３の操作により入力した暗証番号とを照合し、両者が一致したときにロック機構７，８を解除して給油ノズル５を操作可能にする。また、給油ノズル５が返却され、カバー６が閉じられた後にＩＤカード１１を利用者に返却する（例えば、特許文献１参照）。
【０００３】
【特許文献１】特開平５−６７１１７号公報（第２―４頁、図１）
【発明の開示】
【発明が解決しようとする課題】
【０００４】
この従来の無人給油システムにおける問題点は、冬季における静電気による引火事故が発生する、ということである。その理由は、静電気除去手段が設置していなかったり、設置していても静電気除去手段を使用しないでも給油できてしまうシステムであったりするためである。
【０００５】
本発明の目的は、給油希望者が静電気除去手段を使用して自身の身体部分に帯電している静電気を除去しなければ給油できない無人給油装置、無人給油方法及び無人給油用プログラムを提供することにある。
【課題を解決するための手段】
【０００６】
本発明の無人給油装置は、給油希望者が自身の身体部分を接触することにより前記身体に帯電している静電気を除去する静電気除去手段と、前記静電気除去手段に接触することにより人体に帯電している静電気が除去されたことを感知するセンサと、前記静電気除去手段により静電気を除去した前記給油希望者が給油する給油手段とを備える。
【０００７】
また、本発明の無人給油装置は、前記静電気除去手段が、接地されたシート状のもので、前記給油希望者が触手することにより前記給油希望者に帯電している静電気を除去することを特徴とする。
【０００８】
さらに、本発明の無人給油装置は、前記センサが、帯電している前記給油希望者が前記静電気除去手段に触手したときに流れる微弱電流又は触手したことを検知して表示することを特徴とする。
【０００９】
さらに、本発明の無人給油方法は、給油希望者に対し、音声または表示により静電気除去手段に触手することを促し、決済方法・油種・給油量を選択させ、前記静電気除去手段に触手することにより前記給油希望者の身体の静電気が除去されていることをセンサにて確認できた後、給油手段による給油を許可し、前記給油希望者が給油をし、給油量・単価・合計金額を記載した伝票を発行することを特徴とする。
【００１０】
さらに、本発明の無人給油装置は、表面に静電気除去シートを貼り付けてあるタッチパネルと、給油希望者が給油する給油手段とを備える。
【００１１】
さらに、本発明の無人給油方法は、給油希望者は、決済方法・油種・給油量を表面に静電気除去シートを貼り付けてあるタッチパネル上から入力し、給油手段による給油を許可されたら、前記給油希望者が給油をし、給油量・単価・合計金額を記載した伝票を発行することを特徴とする。
【発明の効果】
【００１２】
以上説明したように、本発明の効果は、冬季における静電気による引火事故の発生を防止する、ということである。給油希望者が静電気除去手段を使用して自身の身体部分に帯電している静電気を除去しなければ給油できない無人給油装置及び無人給油方法を提供することによる。
【発明を実施するための最良の形態】
【００１３】
次に、本発明の実施の形態について図面を参照して詳細に説明する。
【００１４】
本発明の第１の実施の形態の注文機の構成を示す図１を参照すると、この実施の形態の無人給油装置は、給油希望者が自身の身体部分を接触することにより身体に帯電している静電気を除去する静電気除去手段である静電気除去シート２０と、静電気除去シート２０に接触することにより人体に帯電している静電気が除去されたことを感知するセンサ４０と、決済方法・油種・給油量・単価・合計金額等を入出力するタッチパネル１０と、伝票を印字するプリンタ３０とからなる注文機１００と、静電気除去シート２０により静電気を除去した給油希望者が給油する給油手段（図示せず）とから構成される。
【００１５】
静電気除去手段である静電気除去シート２０は、接地されたシート状のもので、給油希望者が触手することにより給油希望者に帯電している静電気を除去する。
【００１６】
センサ４０は、帯電している給油希望者が静電気除去手段である静電気除去シート２０に触手したときに流れる微弱電流又は触手したことを検知して、給油希望者に帯電している静電気が除去された旨をタッチパネル１０上に表示する。
【００１７】
次に、この第１の実施の形態の動作をフローチャートで示す図２を参照すると、この実施の形態の動作の流れは、給油希望者に対し音声または表示（タッチパネル）により静電気除去手段である静電気除去シート２０に触手することを促し（Ｓ１）、タッチパネル１０により決済方法・油種・給油量を選択させ（Ｓ２）、静電気除去手段である静電気除去シート２０に触手することにより給油希望者の身体の静電気が除去されていることをセンサ４０にて確認できた後（Ｓ３）、給油手段（図示せず）により給油を許可し、給油希望者が給油をし（Ｓ４）、給油量・単価・合計金額を記載した伝票を発行する（Ｓ５）。
【００１８】
本発明の第２の実施の形態の注文機の構成を示す図３を参照すると、この実施の形態の無人給油装置は、表面に静電気除去シートを貼り付けてある静電気除去シート付タッチパネル１５と、伝票を印字するプリンタ３０とからなる注文機２００と、給油希望者が給油する給油手段（図示せず）とから構成される。
【００１９】
上記動作手順は、コンピュータ内の無人給油プログラムにより実行させることができる。
【００２０】
次に、この第２の実施の形態の動作をフローチャートで示す図４を参照すると、この実施の形態の動作の流れは、給油希望者が決済方法・油種・給油量を表面に静電気除去シートを貼り付けてあるタッチパネル５０上から入力し（Ｓ１０）、給油手段（図示せず）により給油を許可されたら、給油希望者が給油をし（Ｓ１１）、給油量・単価・合計金額を記載した伝票を発行する（Ｓ１２）。
【００２１】
上記動作手順は、コンピュータ内の無人給油プログラムにより実行させることができる。
【００２２】
上述のように、本発明の第１の実施の形態は給油希望者の身体に静電気が帯電していないことをセンサ４０により確認してから給油をするのに対し、本発明の第２の実施の形態では給油希望者の身体に帯電している静電気は静電気除去シート付タッチパネル５０で給油希望者に意識されないうちに除去される。
【図面の簡単な説明】
【００２３】
【図１】本発明の第１の実施の形態の注文機の構成を示す図である。
【図２】この第１の実施の形態おける動作の一例を示すフローチャートである。
【図３】本発明の第２の実施の形態の注文機の構成を示す図である。
【図４】この第２の実施の形態おける動作の一例を示すフローチャートである。
【図５】従来例を示す図である。
【符号の説明】
【００２４】
１０    タッチパネル
２０    静電気除去シート
３０    プリンタ
４０    センサ
５０    静電気除去シート付タッチパネル
１００    注文機
２００    注文機
【図１】
2005047559.tif 000003
【図２】
2005047559.tif 000004
【図３】
2005047559.tif 000005
【図４】
2005047559.tif 000006
【図５】
2005047559.tif 000007